(57)【要約】  本発明は、文字入力方法及びシステム、電子設備、及びそのキーボードを開示し、該文字入力方法は、ユーザーが１つの電子設備を介して文書入力を行うステップと、文書入力のプロセスにおいて、撮影入力プロセスを選択し、１つの撮影装置を起動するステップと、前記撮影装置により文書画像を撮影するステップと、１つの光学文字識別モジュールを介して前記文書画像の指定文書情報を文字文書として識別するステップと、識別された文字文書を処理中のカレント文書に入力し、または修正した後に、修正された文字文書を処理中のカレント文書に入力するステップと、を含む。本発明の提出した文字入力方法及びシステムにより、ユーザーは、知能設備の内蔵カメラを利用して入力したい文字の文書画像を撮影し、識別及び転換を経て、文書画像に応じた文字文書を得て、知能設備の処理中のカレント文書に入力することが可能であり、キーボードやタッチスクリーンで文書画像の文字を１つずつ入力する必要なく、時間も労力も節約できる。
2012507063.tif 000002
【特許請求の範囲】
【請求項１】
文字入力方法において、
Ａ．ユーザーが１つの電子設備を介して文書入力を行うステップと、
Ｂ．文書入力のプロセスにおいて、撮影入力プロセスを選択し、１つの撮影装置を起動するステップと、
Ｃ．前記撮影装置により文書画像を撮影するステップと、
Ｄ．１つの光学文字識別モジュールを介して前記文書画像の指定文書情報を文字文書として識別するステップと、
Ｅ．識別された文字文書を処理中のカレント文書に入力し、または修正した後に、修正された文字文書を処理中のカレント文書に入力するステップと、を含むことを特徴とする文字入力方法。
【請求項２】
文書入力のプロセスにおいて、ユーザーは一度または何度も撮影入力プロセスを選択し、前記ステップＢからステップＥを介して文字を入力することが可能であり、これらの文字とユーザーが他の方式を介して入力した文字とで、ユーザーの入力したい文書を構成することを特徴とする請求項１に記載の文字入力方法。
【請求項３】
前記ステップＣにおいて、前記撮影装置により文書画像を撮影し、前記電子設備の表示手段が、撮影装置の少なくとも１つの撮影プレビューフレームを表示し、入力したい文字を該プレビューフレーム内に収め、
ステップＤにおいて、前記光学文字識別モジュールが、プレビューフレーム内の指定文書画像を識別することを特徴とする請求項１に記載の文字入力方法。
【請求項４】
前記ステップＣはさらに、１つのプレビューフレーム調整モジュールを介してプレビューフレームの形状を調整するステップを含み、
ユーザーは入力したい文書の範囲に応じ、前記プレビューフレーム調整モジュールを介してプレビューフレームの形状を調整することを特徴とする請求項３に記載の文字入力方法。
【請求項５】
前記表示手段はタッチ式表示手段であり、
ユーザーは入力したい文書の範囲に応じ、前記タッチ式表示手段でタッチ動作を行うことによって、プレビューフレームの形状を入力し、
前記プレビューフレーム調整モジュールは上述タッチ動作を捕捉し、該タッチ動作に応じてプレビューフレームの形状を設定することを特徴とする請求項４に記載の文字入力方法。
【請求項６】
前記ステップＢにおいて、表示された入力法メニューから「カメラ入力法」を選択することによって、電子設備の内蔵カメラを起動し、または、
知能設備のカメラキーを押すことによって、電子設備の内蔵カメラを起動し、または、
キーボードに設けられたカメラ入力キーを打つことによって、電子設備の内蔵カメラを起動することを特徴とする請求項１〜５のいずれか１項に記載の文字入力方法。
【請求項７】
前記ステップＣの次にさらに、
ユーザーが前記電子設備の表示手段で入力したい文字を選択し、且つ標記をつけるステップを含み、
ステップＤにおいて、前記光学文字識別モジュールが、標記された文書画像を識別することを特徴とする請求項３〜５のいずれか１項に記載の文字入力方法。
【請求項８】
前記プレビューフレームは、文字の方向を標記するための文字方向の標記を含み、
前記ステップＣはさらに、１つの標記修正手段によって標記の方向を変更するステップを含み、
ステップＤにおいて、前記光学文字識別モジュールが、上述の文字方向に応じて文字の配列順番を識別することを特徴とする請求項３〜５のいずれか１項に記載の文字入力方法。
【請求項９】
電子設備内に設置され、文字を入力するための文字入力システムにおいて、
前記電子設備は、
画像情報を得るための撮影装置と、
各項情報を表示するための表示手段と、を含み、
前記文字入力システムは、
前記撮影装置によって得られた画像情報の指定文書情報を、文字文書として識別するための光学文字識別モジュールと、
入力したい文書の範囲に応じ、表示手段における撮影装置のプレビューフレームの形状を調整するためのプレビューフレーム調整モジュールと、を含むことを特徴とする文字入力システム。
【請求項１０】
前記表示手段はタッチ式表示手段であり、
ユーザーは入力したい文書の範囲に応じ、前記タッチ式表示手段でタッチ動作を行うことによって、プレビューフレームの形状を入力し、
前記プレビューフレーム調整モジュールは上述タッチ動作を捕捉し、該タッチ動作に応じてプレビューフレームの形状を設定することを特徴とする請求項９に記載の文字入力システム。
【請求項１１】
電子設備において、
該電子設備は、
画像情報を得るための撮影装置と、
各項情報を表示するための表示手段と、
請求項９または１０に記載の文字入力システムと、を含むことを特徴とする電子設備。
【請求項１２】
請求項１〜８のいずれか１項に記載の文字入力方法にマッチングするキーボードにおいて、
撮影入力を起動するキーを含むことを特徴とする請求項１〜８のいずれか１項に記載の文字入力方法にマッチングするキーボード。
【請求項１３】
文字入力方法において、
Ａ’．ユーザーが１つの電子設備を介して文書入力を行うステップと、
Ｂ’．文書入力のプロセスにおいて、文書識別入力プロセスを選択し、ユーザーが入力したい文字を含む文書画像を選択するステップと、
Ｃ’．１つの光学文字識別モジュールを介して前記文書画像の指定文書情報を文字文書として識別するステップと、
Ｄ’．識別された文字文書を処理中のカレント文書に入力し、または修正した後に、修正された文字文書を処理中のカレント文書に入力するステップと、を含むことを特徴とする文字入力方法。
【請求項１４】
文書入力のプロセスにおいて、ユーザーは一度または何度も文書識別入力プロセスを選択し、前記ステップＢ’からステップＤ’を介して文字を入力することが可能であり、これらの文字とユーザーが他の方式を介して入力した文字とで、ユーザーの入力したい文書を構成することを特徴とする請求項１３に記載の文字入力方法。
【請求項１５】
前記ステップＣ’において、前記電子設備の表示手段が、１つのセレクトフレームを表示し、前記セレクトフレームを調整することによって、入力したい文字を該セレクトフレーム内に収め、
ステップＤ’において、前記光学文字識別モジュールが、セレクトフレーム内の指定文書画像を識別することを特徴とする請求項１３に記載の文字入力方法。
【請求項１６】
前記ステップＣ’はさらに、１つのセレクトフレーム調整モジュールを介してセレクトフレームの形状を調整するステップを含み、
ユーザーは入力したい文書の範囲に応じ、前記セレクトフレーム調整モジュールを介してセレクトフレームの形状を調整することを特徴とする請求項１５に記載の文字入力方法。
【請求項１７】
前記表示手段はタッチ式表示手段であり、
ユーザーは入力したい文書の範囲に応じ、前記タッチ式表示手段でタッチ動作を行うことによって、セレクトフレームの形状を入力し、
前記セレクトフレーム調整モジュールは上述タッチ動作を捕捉し、該タッチ動作に応じてセレクトフレームの形状を設定することを特徴とする請求項１６に記載の文字入力方法。
【請求項１８】
ステップＣ’における光学文字識別モジュールは、文書画像の画像内に収まりきれなかった文字行／列を自動的に消去することを特徴とする請求項１２〜１７のいずれか１項に記載の文字入力方法。
【請求項１９】
前記ステップＣ’において、ユーザーが前記電子設備の表示手段で入力したい文字を選択し、且つ標記をつけ、
ステップＤ’において、前記光学文字識別モジュールが、標記された文書画像を識別することを特徴とする請求項１３に記載の文字入力方法。
【請求項２０】
前記ステップＣ’において、ライン、フレーム、または符号で首尾位置を標記する方法で、入力したい文字を標記することを特徴とする請求項１９に記載の文字入力方法。
【請求項２１】
文字入力方法において、
該方法は、内蔵カメラを含み、光学文字識別機能を有する知能設備内で実行する必要があり、前記設備のメモリー内に、内蔵カメラを起動するステップと、入力したい文字を撮影プレビューフレーム内に収めるステップと、内蔵カメラで撮影操作を行うステップと、入力したい文字を含む文書画像を得るステップと、光学文字識別技術で文書画像の文字を識別するステップと、識別された文字を文字列に転換するステップと、文字列を前記設備の処理中のカレント文書に入力するステップとを含む操作を実行するように、ＣＰＵを制御・指揮するプログラムが記憶されていることを特徴とする文字入力方法。
【請求項２２】
該方法の具体的な操作ステップは以下の通り、
処理中のカレント文書に文字を入力することに備え、本方法を始動させ、内蔵カメラを起動し、カメラ撮影プレビューインターフェースに入る開始ステップ４２０において、
知能設備の内蔵カメラを起動し、モニターがカメラ撮影プレビューフレームを表示し、
文書画像を撮影するステップ４３０において、
入力したい文字をカメラ撮影プレビューフレーム内に収め、内蔵カメラにより該文字の文書画像を撮影し、
光学文字識別技術で文書画像を文字文書として識別するステップ４４０において、
ステップ４３０で処理された文書画像を、光学文字識別技術で識別し、それに対応する文字文書を得、
処理中のカレント文書に、文字文書を直接に入力するか否かを決定するステップ４５０において、
ユーザーは、処理中のカレント文書に、ステップ４４０で処理された文字文書を直接に入力するか否かを決定し、是であれば、ステップ４６０に進み、否であれば、ステップ４７０に進み、
文字文書を処理中のカレント文書に入力するステップ４６０において、
ステップ４４０で処理された文字文書を、処理中のカレント文書に入力し、ステップ４９０に進み、
文字文書を修正するステップ４７０において、
ユーザーは、ステップ４４０で処理された文字文書を修正し、
ステップ４８０において、
ユーザーは、処理中のカレント文書に、ステップ４７０で処理された文字文書を入力するか否かを決定し、是であれば、ステップ４７０で処理された文字文書を、処理中のカレント文書に入力し、否であれば、ステップ４９０に進み、
ステップ４９０において、終了することを特徴とする請求項２１に記載の文字入力方法。
【請求項２３】
ステップ４２０において、表示された入力法メニューから「カメラ入力法」を選択することによって、知能設備の内蔵カメラを起動し、または、
ステップ４２０において、知能設備のカメラキーを押すことによって、知能設備の内蔵カメラを起動し、または、
ステップ４２０において、カメラアイコンを打つことによって、知能設備の内蔵カメラを起動することを特徴とする請求項２２に記載の文字入力方法。
【発明の詳細な説明】
【技術分野】
【０００１】
本発明は、文字入力及び画像処理の技術分野に属し、文字入力方法に係り、特に光学文字識別技術に基づく文字入力方法に係り、同時に、本発明はさらに文字入力システムに係り、また、本発明はさらに上述の文字入力システムを含む電子設備及びそのキーボードに関する。
【背景技術】
【０００２】
近年、携帯電話、ＰＤＡ、携帯ゲーム機、ナビゲータなどの電子設備の普及につれ、これらの電子設備に対し、人間とコンピュータの相互作用を行う手段として、文字の入力法が、最も基本で常用される手段となった。
【０００３】
現在、常用の文字入力法は主に２種類ある。１種類はキーボード入力法であり、ユーザーは知能設備自身に付いているキーボードを利用し、キーを一回または複数回打って文字を入力する。例えば、ＲＩＭ社のブラックベリー携帯に採用されたキーボード入力の文字入力法がその１例である（図１に示すように）。この方法の利点は以下の通り、ユーザーは親指だけで片手入力操作を行うことが可能であり、キーを打つ度に明確な反応を得られ、キーボードのキーコンビネーションを設定することで、各種言語の入力を実現することが可能である。欠点は以下の通り、１つの文字を入力するために、ユーザーはキーを何度も打たなければならず、且つユーザーは勉強しないと、該文字に対応するキーコンビネーションを分からない。例えば、ピンインを利用して中国語文字を入力する。また、タイプの異なる文字を入力する場合、入力モードを切り替えなければならない。
【０００４】
もう１種類はタッチスクリーン入力法であり、このような入力法は、知能設備のタッチスクリーンのバーチャルキーボードを打つことによって、文字入力を実現し、または、入力したい文字をタッチペンで直接にタッチスクリーンに手書きし、ユーザーの筆跡を識別して文字に転換し、文字入力を実現する。バーチャルキーボードによる文字入力の利点及び欠点は上述のキーボード入力法と似通っており、手書き入力法の利点は、ユーザーは文字のキーコンビネーションを勉強しなくても、その文字をタッチスクリーンに直接書けば、文字入力を実現できることである。欠点は、入力スピードが遅く、普通は両手で操作しなければならず、片手で設備を持ち、もう片手によりタッチペンで書き、筆跡が汚い時は識別ミスを起こしやすく、さらに入力スピードを低下させてしまい、タイプの異なる文字を入力する場合、入力モードを切り替えなければならない。
【０００５】
人々の日常生活において、書物、雑誌、広告などの文字内容、例えば名言、電話番号、ウェブサイト、メールアドレスなどを知能設備に入力する必要がある場合はしばしばある。図２は文字内容を含む１つの文書画像である。従来の技術的手段によると、人々は上述の入力法を利用し、印刷文字内容を一文字ずつ知能設備に入力しなければならず、それに入力プロセスにおいて、知能設備の入力法と印刷文字内容とに交替で集中しなければならず、面倒な上に、時間を無駄にすることになる。
【発明の開示】
【発明が解決しようとする課題】
【０００６】
本発明が解決しようとする技術問題は、知能設備の内蔵カメラを利用して入力したい文字の文書画像を撮影し、光学文字識別技術で文書画像の文字を識別し、文字の文書画像を文字文書に転換することが可能である文字入力方法を提供し、文字入力を効率的に完成することである。
【０００７】
同時に、本発明はさらに、上述の文字入力方法にマッチングする文字入力システムを提供する。
【０００８】
また、本発明はさらに、上述の文字入力システムを含む電子設備を提供する。
【０００９】
また、本発明はさらに、上述の文字入力方法にマッチングするキーボードを提供する。
【課題を解決するための手段】
【００１０】
上述の技術問題を解決するために、本発明は以下の技術的手段を採用する。
【００１１】
文字入力方法は、
Ａ．ユーザーが１つの電子設備を介して文書入力を行うステップと、
Ｂ．文書入力のプロセスにおいて、撮影入力プロセスを選択し、１つの撮影装置を起動するステップと、
Ｃ．前記撮影装置により文書画像を撮影するステップと、
Ｄ．１つの光学文字識別モジュールを介して前記文書画像の指定文書情報を文字文書として識別するステップと、
Ｅ．識別された文字文書を処理中のカレント文書に入力し、または修正した後に、修正された文字文書を処理中のカレント文書に入力するステップと、を含む。
【００１２】
本発明の好ましい手段として、文書入力のプロセスにおいて、ユーザーは一度または何度も撮影入力プロセスを選択し、前記ステップＢからステップＥを介して文字を入力することが可能であり、これらの文字とユーザーが他の方式を介して入力した文字とで、ユーザーの入力したい文書を構成する。
【００１３】
本発明の好ましい手段として、前記ステップＣにおいて、前記撮影装置により文書画像を撮影し、前記電子設備の表示手段が、撮影装置の少なくとも１つの撮影プレビューフレームを表示し、入力したい文字を該プレビューフレーム内に収め、ステップＤにおいて、前記光学文字識別モジュールが、プレビューフレーム内の指定文書画像を識別する。
【００１４】
本発明の好ましい手段として、前記ステップＣはさらに、１つのプレビューフレーム調整モジュールを介してプレビューフレームの形状を調整するステップを含み、ユーザーは入力したい文書の範囲に応じ、前記プレビューフレーム調整モジュールを介してプレビューフレームの形状を調整する。
【００１５】
本発明の好ましい手段として、前記表示手段はタッチ式表示手段であり、ユーザーは入力したい文書の範囲に応じ、前記タッチ式表示手段でタッチ動作を行うことによって、プレビューフレームの形状を入力し、前記プレビューフレーム調整モジュールは上述タッチ動作を捕捉し、該タッチ動作に応じてプレビューフレームの形状を設定する。
【００１６】
本発明の好ましい手段として、前記ステップＢにおいて、表示された入力法メニューから「カメラ入力法」を選択することによって、電子設備の内蔵カメラを起動し、または、知能設備のカメラキーを押すことによって、電子設備の内蔵カメラを起動し、または、キーボードに設けられたカメラ入力キーを打つことによって、電子設備の内蔵カメラを起動する。
【００１７】
本発明の好ましい手段として、前記プレビューフレームは、文字の方向を標記するための文字方向の標記を含み、前記ステップＣはさらに、１つの標記修正手段によって標記の方向を変更するステップを含み、ステップＤにおいて、前記光学文字識別モジュールが、上述の文字方向に応じて文字の配列順番を識別する。
【００１８】
電子設備内に設置され、文字を入力するための文字入力システムは、
前記電子設備が、
画像情報を得るための撮影装置と、
各項情報を表示するための表示手段と、を含み、
前記文字入力システムが、
前記撮影装置によって得られた画像情報の指定文書情報を、文字文書として識別するための光学文字識別モジュールと、
入力したい文書の範囲に応じ、表示手段における撮影装置のプレビューフレームの形状を調整するためのプレビューフレーム調整モジュールと、を含む。
【００１９】
本発明の好ましい手段として、前記表示手段はタッチ式表示手段であり、ユーザーは入力したい文書の範囲に応じ、前記タッチ式表示手段でタッチ動作を行うことによって、プレビューフレームの形状を入力し、前記プレビューフレーム調整モジュールは上述タッチ動作を捕捉し、該タッチ動作に応じてプレビューフレームの形状を設定する。
【００２０】
電子設備において、該電子設備は、
画像情報を得るための撮影装置と、
各項情報を表示するための表示手段と、
上述の文字入力システムと、を含むことを特徴とする。
【００２１】
上述の文字入力方法にマッチングするキーボードは、撮影入力を起動するキーを含む。
【００２２】
文字入力方法は、
Ａ’．ユーザーが１つの電子設備を介して文書入力を行うステップと、
Ｂ’．文書入力のプロセスにおいて、文書識別入力プロセスを選択し、ユーザーが入力したい文字を含む文書画像を選択するステップと、
Ｃ’．１つの光学文字識別モジュールを介して前記文書画像の指定文書情報を文字文書として識別するステップと、
Ｄ’．識別された文字文書を処理中のカレント文書に入力し、または修正した後に、修正された文字文書を処理中のカレント文書に入力するステップと、を含む。
【００２３】
本発明の好ましい手段として、前記ステップＣ’において、前記電子設備の表示手段が、１つのセレクトフレームを表示し、前記セレクトフレームを調整することによって、入力したい文字を該セレクトフレーム内に収め、ステップＤ’において、前記光学文字識別モジュールが、セレクトフレーム内の指定文書画像を識別する。
【００２４】
本発明の好ましい手段として、前記ステップＣ’はさらに、１つのセレクトフレーム調整モジュールを介してセレクトフレームの形状を調整するステップを含み、ユーザーは入力したい文書の範囲に応じ、前記セレクトフレーム調整モジュールを介してセレクトフレームの形状を調整する。
【００２５】
本発明の好ましい手段として、前記表示手段はタッチ式表示手段であり、ユーザーは入力したい文書の範囲に応じ、前記タッチ式表示手段でタッチ動作を行うことによって、セレクトフレームの形状を入力し、前記セレクトフレーム調整モジュールは上述タッチ動作を捕捉し、該タッチ動作に応じてセレクトフレームの形状を設定する。
【００２６】
文字入力方法において、該方法は、内蔵カメラを含み、光学文字識別機能を有する知能設備内で実行する必要があり、前記設備のメモリー内に、内蔵カメラを起動するステップと、入力したい文字を撮影プレビューフレーム内に収めるステップと、内蔵カメラで撮影操作を行うステップと、入力したい文字を含む文書画像を得るステップと、光学文字識別技術で文書画像の文字を識別するステップと、識別された文字を文字列に転換するステップと、文字列を前記設備の処理中のカレント文書に入力するステップとを含む操作を実行するように、ＣＰＵを制御・指揮するプログラムが記憶されている。
【００２７】
本発明の好ましい手段として、該方法の具体的な操作ステップは以下の通り、
処理中のカレント文書に文字を入力することに備え、本方法を始動させ、内蔵カメラを起動し、カメラ撮影プレビューインターフェースに入る開始ステップ４２０において、
知能設備の内蔵カメラを起動し、モニターがカメラ撮影プレビューフレームを表示し、
文書画像を撮影するステップ４３０において、
入力したい文字をカメラ撮影プレビューフレーム内に収め、内蔵カメラにより該文字の文書画像を撮影し、
光学文字識別技術で文書画像を文字文書として識別するステップ４４０において、
ステップ４３０で処理された文書画像を、光学文字識別技術で識別し、それに対応する文字文書を得、
処理中のカレント文書に、文字文書を直接に入力するか否かを決定するステップ４５０において、
ユーザーは、処理中のカレント文書に、ステップ４４０で処理された文字文書を直接に入力するか否かを決定し、是であれば、ステップ４６０に進み、否であれば、ステップ４７０に進み、
文字文書を処理中のカレント文書に入力するステップ４６０において、
ステップ４４０で処理された文字文書を、処理中のカレント文書に入力し、ステップ４９０に進み、
文字文書を修正するステップ４７０において、
ユーザーは、ステップ４４０で処理された文字文書を修正し、
ステップ４８０において、
ユーザーは、処理中のカレント文書に、ステップ４７０で処理された文字文書を入力するか否かを決定し、是であれば、ステップ４７０で処理された文字文書を、処理中のカレント文書に入力し、否であれば、ステップ４９０に進み、
ステップ４９０において、終了する。
【００２８】
本発明の好ましい手段として、ステップ４２０において、表示された入力法メニューから「カメラ入力法」を選択することによって、知能設備の内蔵カメラを起動し、または、
ステップ４２０において、知能設備のカメラキーを押すことによって、知能設備の内蔵カメラを起動し、または、
ステップ４２０において、カメラアイコンを打つことによって、知能設備の内蔵カメラを起動する。
【発明の効果】
【００２９】
本発明の有益な効果は以下の通り、本発明の提出した文字入力方法及びシステムにより、ユーザーは、知能設備の内蔵カメラを利用して入力したい文字の文書画像を撮影し、識別及び転換を経て、文書画像に応じた文字文書を得て、知能設備の処理中のカレント文書に入力することが可能であり、キーボードやタッチスクリーンで文書画像の文字を一つずつ入力する必要なく、時間も労力も節約でき、入力したい文書画像に文字が多く含まれるほど、節約できる時間と労力も多くなる。
【図面の簡単な説明】
【００３０】
【図１】キーボードで文字を入力する説明図である。
【図２】知能設備の内蔵カメラにより撮影された文字の文書画像の説明図である。
【図３】実施例１において、文字入力方法の操作の流れ図である。
【図４】実施例１において、文字入力システムの構成図である。
【図５】実施例２において、文字入力方法の操作の流れ図である。
【図６】実施例３において、文字入力方法の操作の流れ図である。
【図７】光学文字識別技術で知能設備の内蔵カメラにより撮影された文字の文書画像を識別し、文字入力を実現する説明図である。
【図８】入力法メニューから「カメラ入力法」を選択することによって本方法を始動させる説明図である。
【図９】他の入力法を使用しているプロセスにおいて、カメラアイコンをクリックすることによって本方法を始動させる説明図である。
【図１０】文字文書画像を撮影／セレクトする時に、デフォルトの矩形のプレビューフレーム／セレクトフレームの説明図である。
【図１１】文字文書画像を撮影／セレクトする時に、プレビューフレーム／セレクトフレームを調整する説明図である。
【図１２】縦方向の文字文書画像を撮影／セレクトする時の説明図である。
【発明を実施するための形態】
【００３１】
以下、図面を参照して本発明の好ましい実施例を詳しく説明する。
【実施例１】
【００３２】
図３を参照し、本発明の開示した文字入力方法は、知能設備の内蔵カメラを用いて入力したい文字の文書画像を撮影し、光学文字識別技術で文書画像の文字を識別し、文字の文書画像を文字文書に転換し、文字入力を効率的に完成する。該文字入力方法は以下のステップを含み、
ステップＡ．ユーザーが１つの電子設備を介して文書入力を行う。該電子設備は携帯電話、コンピュータ、ＰＤＡなどの電子装置であってもよく、本実施例において、該設備に、１つの撮影装置と１つの光学文字識別モジュールとが接続され、または付けられていなければならない。
ステップＢ．文書入力のプロセスにおいて、撮影入力プロセスを選択し、前記撮影装置を起動する。
前記撮影装置を起動し、表示された入力法メニューから「カメラ入力法」を選択することによって、電子設備の内蔵カメラを起動し（図８に示すように）、または、知能設備のカメラキーを押すことによって、電子設備の内蔵カメラを起動し、または、キーボードに設けられたカメラ入力キーを打つことによって、電子設備の内蔵カメラを起動する（図９に示すように）。
ステップＣ．前記撮影装置により文書画像を撮影する。
ステップＤ．図７に示すように、１つの光学文字識別モジュールを介して前記文書画像の指定文書情報を文字文書として識別する。指定していない場合、デフォルトとして文書画像全体の全ての文書情報を識別する。
ステップＥ．識別された文字文書を処理中のカレント文書に入力し、または修正した後に、修正された文字文書を処理中のカレント文書に入力する。
【００３３】
文書入力のプロセスにおいて、ユーザーは一度または何度も撮影入力プロセスを選択し、前記ステップＢからステップＥを介して文字を入力することが可能であり、これらの文字とユーザーが他の方式を介して入力した文字とで、ユーザーの入力したい文書を構成する。
【００３４】
前記ステップＣにおいて、前記電子設備の表示手段が、撮影装置の撮影プレビューフレームを表示し、入力したい文字を該プレビューフレーム内に収め、プレビューフレーム内の文書画像が、識別する必要あると標記されてから、文書画像が撮影される。デフォルトのプレビューフレームは矩形であり（図１０に示すように）、その長さ及び幅は調整可能である。ステップＤにおいて、前記光学文字識別モジュールが、プレビューフレーム内の指定文書画像を識別する。プレビューフレームは１つであってもよく、複数であってもよい。無論、その形状も他の形であっても構わない。
【００３５】
プレビューフレームの設置によって、識別する必要のある文書情報の選択がより精確になり、ステップＤにおける識別効率を上げることが可能である。無論、プレビューフレームを設置することは好ましい実施例に過ぎず、プレビューフレームを設置せずともよい（或いは、プレビューフレームは、即ち表示手段全体の表示限度範囲である）。その時、普通ステップＤにおいて、文書画像の全ての文字を識別する必要があり、その後、ユーザーはさらに、識別された文字を修正する必要がある。
【００３６】
好ましくは、文書画像を撮影する前に、１つのプレビューフレーム調整モジュールを介してプレビューフレームの形状を調整するステップをさらに含み、ユーザーは入力したい文書の範囲に応じ、前記プレビューフレーム調整モジュールを介してプレビューフレームの形状を調整する。例えば、プレビューフレームを図１１に示すように調整する場合、その時、１つのプレビューフレームを複数のプレビューフレームに調整することとして見なしてもよく、プレビューフレームの形状も、例えば円状、楕円状、菱形などの他の任意的な形状であっても構わない。
【００３７】
前記表示手段がタッチ式表示手段である場合について、ユーザーは入力したい文書の範囲に応じ、前記タッチ式表示手段でタッチ動作を行うことによって、プレビューフレームの形状を入力することが可能であり、前記プレビューフレーム調整モジュールは上述タッチ動作を捕捉し、該タッチ動作に応じてプレビューフレームの形状を設定する。
【００３８】
前記表示手段がタッチ式表示手段と非タッチ式表示手段とのいずれか一方である場合について、ユーザーはキーボードを介してプレビューフレームを描画することが可能である。例えば、メニューを介してラインを増やし、それからラインの長さを調整し、方向キーを介してラインを移動させ、最終的にプレビューフレームの描画を完成する。
【００３９】
上述のプレビューフレームの設置によって、文書情報が不規則である場合、識別及び情報修正の効率を上げることが可能である。
【００４０】
また、図１２に示すように、文書画像は縦方向に配列されている場合もあるため、その時、もしデフォルトの識別方法（横方向に配列する文書をデフォルトの設定とする）を使用すると、識別された文字に多くのミスを生じる可能性があり、本発明の縦方向文書の識別に関する効率及び機能を下げてしまう。
【００４１】
そのために、本実施例はステップＣにおいて文書画像を撮影する時に、前記プレビューフレーム内に文字方向の標記を設置する。例えば、デフォルトの文字方向は横方向であり、左から右へ、上から下へとなっている。
【００４２】
本実施例では２つの標記が設置され、１つがメイン標記であり、文字が横方向に配列するか、それとも縦方向に配列するかを標記し、もう１つがサブ標記であり、複数行の文字が上から下へ配列するか、それとも下から上へ配列するかを標記し、または複数列の文字が左から右へ配列するか、それとも右から左へ配列するかを標記する。無論、そのうちの標記を１つのみ設置することも可能であり、または他の標記をさらに設置することも可能である。
【００４３】
その他の文字方向の場合、図１２に示すように、ユーザーは１つの標記修正手段によって上述の標記の方向を変更することが可能である。デフォルトの文字方向は横方向であり、左から右へ、上から下へで、修正された文字方向は縦方向であり、上から下へ、右から左へとなっている。
【００４４】
ステップＤにおいて、前記光学文字識別モジュールが、上述の文字方向の標記に応じて文字の配列順番を識別する。上述の標記は、光学文字識別モジュールに識別されるために、画像に直接に表示されてもよく、または、コーディング方式によって形成されるファイルパッケージを、光学文字識別モジュールに伝送することで、光学文字識別モジュールが上述の文字方向を得る。
【００４５】
図４を参照し、本発明は同時に、電子設備内に設置され、文字を入力するための文字入力システム１０を開示し、前記電子設備は、画像情報を得るための撮影装置２０と、各項情報を表示するための表示手段３０とを含む。
【００４６】
文字入力システム１０は、前記撮影装置によって得られた画像情報の指定文書情報を、文字文書として識別するための光学文字識別モジュール１１と、入力したい文書の範囲に応じ、表示手段３０における撮影装置のプレビューフレームの形状を調整するためのプレビューフレーム調整モジュール１２とを含む。
【００４７】
好ましくは、前記表示手段３０はタッチ式表示手段であり、ユーザーは入力したい文書の範囲に応じ、前記タッチ式表示手段３０でタッチ動作を行うことによって、プレビューフレームの形状を入力し、前記プレビューフレーム調整モジュール１２は上述タッチ動作を捕捉し、該タッチ動作に応じてプレビューフレームの形状を設定する。
【００４８】
前記電子設備は携帯電話、コンピュータ、ＰＤＡ、携帯ゲーム機、ナビゲータなどであってもよい。
【００４９】
本発明の文字入力方法にマッチングするキーボードは、撮影入力を起動するキーを含む。該キーボードは実体のキーボードであり、またはタッチスクリーンのバーチャルキーボードである。
【００５０】
前記記述によると、本発明で提出した文字入力方法及びシステムにおいて、ユーザーは、知能設備の内蔵カメラを利用して入力したい文字の文書画像を撮影し、識別及び転換を経て、文書画像に応じた文字文書を得て、知能設備の処理中のカレント文書に入力することが可能であり、キーボードやタッチスクリーンで文書画像の文字を一つずつ入力する必要なく、時間も労力も節約でき、入力したい文書画像に文字が多く含まれるほど、節約できる時間と労力も多くなる。
【００５１】
ユーザーは文書入力のプロセスにおいて、例えばメールを打つプロセスにおいて、何時でもカメラ及び光学文字識別モジュールを起動し、文章を撮影・識別することが可能である。例えば、メールを打つプロセスにおいて、ユーザーは、まず手書きでまたはピンインで何れかの文字を打ってから、撮影とＯＣＲ（光学文字識別）で何れかの文字を打ち、それから手書きでまたはピンインで文字を入力し、また何処かで撮影とＯＣＲによって何れかの文字を入力することが可能である。
【実施例２】
【００５２】
図５を参照し、本実施例の開示した文字入力方法は、
Ａ’．ユーザーが１つの電子設備を介して文書入力を行うステップと、
Ｂ’．文書入力のプロセスにおいて、文書識別入力プロセスを選択し、ユーザーが入力したい文字を含む文書画像を選択するステップと、
Ｃ’．１つの光学文字識別モジュールを介して前記文書画像の指定文書情報を文字文書として識別するステップと、
Ｄ’．識別された文字文書を処理中のカレント文書に入力し、または修正した後に、修正された文字文書を処理中のカレント文書に入力するステップと、を含む。
【００５３】
前記ステップＣ’において、ユーザーが前記電子設備の表示手段で入力したい文字を選択し、且つ標記をつけ、ステップＤ’において、前記光学文字識別モジュールが、標記された文書画像を識別する。前記ステップＣ’において、ライン、フレーム（例えばセレクトフレーム）、または符号で首尾位置を標記する方法で、入力したい文字を標記する。以下は、セレクトフレームを設置する方式で本実施例を説明し、その他の標記方式は、本実施例を参照することが可能である。
【００５４】
前記ステップＣ’において、前記電子設備の表示手段が、１つのセレクトフレームを表示し、前記セレクトフレームを調整することによって、入力したい文字を該セレクトフレーム内に収めることで、文書情報を指定し、ステップＤ’において、前記光学文字識別モジュールが、セレクトフレーム内の指定文書画像を識別する。デフォルトのセレクトフレームは矩形であり（図１０に示すように）、その長さ及び幅は調整可能である。ステップＤ’において、前記光学文字識別モジュールが、セレクトフレーム内の指定文書画像を識別する。セレクトフレームは１つであってもよく、複数であってもよい。無論、その形状も他の形であっても構わない。
【００５５】
セレクトフレームの設置によって、識別する必要のある文書情報の選択がより精確になり、ステップＤ’における識別効率を上げることが可能である。無論、セレクトフレームを設置することは好ましい実施例に過ぎず、セレクトフレームを設置せずともよい（或いは、セレクトフレームは、即ち表示手段全体の表示限度範囲である）。その時、普通ステップＤ’において、文書画像の全ての文字を識別する必要があり、その後、ユーザーはさらに、識別された文字を修正する必要がある。
【００５６】
好ましくは、前記ステップＣ’において、１つのセレクトフレーム調整モジュールを介してセレクトフレームの形状を調整するステップをさらに含み、ユーザーは入力したい文書の範囲に応じ、前記セレクトフレーム調整モジュールを介してセレクトフレームの形状を調整する。例えば、セレクトフレームを図１１に示すように調整する場合、その時、１つのセレクトフレームを複数のセレクトフレームに調整することとして見なしてもよく、セレクトフレームの形状も、例えば円状、楕円状、菱形などの他の任意的な形状であっても構わない。
【００５７】
前記表示手段がタッチ式表示手段である場合について、ユーザーは入力したい文書の範囲に応じ、前記タッチ式表示手段でタッチ動作を行うことによって、セレクトフレームの形状を入力することが可能であり、前記セレクトフレーム調整モジュールは上述タッチ動作を捕捉し、該タッチ動作に応じてセレクトフレームの形状を設定する。
【００５８】
前記表示手段がタッチ式表示手段と非タッチ式表示手段とのいずれか一方である場合について、ユーザーはキーボードを介してセレクトフレームを描画することが可能である。例えば、メニューを介してラインを増やし、それからラインの長さを調整し、方向キーを介してラインを移動させ、最終的にセレクトフレームの描画を完成する。
【００５９】
上述のセレクトフレームの設置によって、文書情報が不規則である場合、識別及び情報修正の効率を上げることが可能である。
【００６０】
また、ステップＣ’における光学文字識別モジュールは、文書画像の画像内に収まりきれなかった文字行／列（例えば、矩形のセレクトフレームの上下左右の４本の辺の近くに、画像内に収まりきれなかった文字行／列）を自動的に消去することが可能であるため、ユーザーの修正の手間を省け、編集効率をさらに上げることが可能である。
【００６１】
また、本実施例も、実施例１に記載の文字方向標記を設置することが可能であり、本実施例において、セレクトフレームを設置すると同時に、文字方向標記を設置する。設置方式は、実施例１に記載の方式と似通っており、ここでの説明を省略する。
【実施例３】
【００６２】
該方法は、内蔵カメラを含み、光学文字識別機能を有する知能設備内で実行する必要があり、前記設備のメモリー内に、内蔵カメラを起動するステップと、入力したい文字を撮影プレビューフレーム内に収めるステップと、内蔵カメラで撮影操作を行うステップと、入力したい文字を含む文書画像を得るステップと、光学文字識別技術で文書画像の文字を識別するステップと、識別された文字を文字列に転換するステップと、文字列を前記設備の処理中のカレント文書に入力するステップとを含む操作を実行するように、ＣＰＵを制御・指揮するプログラムが記憶されている。
【００６３】
本実施例において、文字識別方法の具体的な操作ステップは以下の通り、
処理中のカレント文書に文字を入力することに備え、本方法を始動させ、内蔵カメラを起動し、カメラ撮影プレビューインターフェースに入る開始ステップ４２０において、
知能設備の内蔵カメラを起動し、モニターがカメラ撮影プレビューフレームを表示し、
文書画像を撮影するステップ４３０において、
入力したい文字をカメラ撮影プレビューフレーム内に収め、内蔵カメラにより該文字の文書画像を撮影し、
光学文字識別技術で文書画像を文字文書として識別するステップ４４０において、
ステップ４３０で処理された文書画像を、光学文字識別技術で識別し、それに対応する文字文書を得、
処理中のカレント文書に、文字文書を直接に入力するか否かを決定するステップ４５０において、
ユーザーは、処理中のカレント文書に、ステップ４４０で処理された文字文書を直接に入力するか否かを決定し、是であれば、ステップ４６０に進み、否であれば、ステップ４７０に進み、
文字文書を処理中のカレント文書に入力するステップ４６０において、
ステップ４４０で処理された文字文書を、処理中のカレント文書に入力し、ステップ４９０に進み、
文字文書を修正するステップ４７０において、
ユーザーは、ステップ４４０で処理された文字文書を修正し、
ステップ４８０において、
ユーザーは、処理中のカレント文書に、ステップ４７０で処理された文字文書を入力するか否かを決定し、是であれば、ステップ４７０で処理された文字文書を、処理中のカレント文書に入力し、否であれば、ステップ４９０に進み、
ステップ４９０において、終了する。
【００６４】
好ましくは、図８のように、ステップ４２０において、表示された入力法メニューから「カメラ入力法」を選択することによって、知能設備の内蔵カメラを起動する。または、ステップ４２０において、知能設備のカメラキーを押すことによって、知能設備の内蔵カメラを起動する。または、図９のように、ステップ４２０において、カメラアイコンを打つことによって、知能設備の内蔵カメラを起動する。
【実施例４】
【００６５】
本実施例は、ＯＳ「ｗｉｎｄｏｗｓ  ｍｏｂｉｌｅ  ５．０」に基づくタッチスクリーン携帯電話において実行する必要があり、該携帯のＣＰＵの作業周波数が２００ＭＨｚであり、ＲＡＭ容量が４８Ｍであり、カメラの解像度が２Ｍ画素であり、モニターが２．８インチの画素３２０＊２４０のタッチスクリーンである。
【００６６】
ステップ４２０において、知能設備において入力法切り替えメニューを起動することによって、カメラ入力法を選択し、本方法を始動させ、処理中のカレント文書に文字を入力することに備え、図８のように、撮影された文字の文書画像を、タッチスクリーンのカメラ入力法のウィンドウに表示し、それから引き続き全ての後続ステップを実行する。カメラで該文書画像を撮影する（ステップ４３０）。光学文字識別技術で該文書画像を識別し、それを文字文書に転換する（ステップ４４０）。ユーザーが処理中のカレント文書に、文字文書を直接に入力することを選択する場合（ステップ４５０）、識別された文字文書を該携帯の処理中のカレント文書に入力する（ステップ４６０）。これで今回の文字入力操作を完了する（ステップ４９０）。
【実施例５】
【００６７】
本実施例は、ＯＳ「ｗｉｎｄｏｗｓ  ｍｏｂｉｌｅ  ５．０」に基づくタッチスクリーン携帯電話において実行する必要があり、該携帯のＣＰＵの作業周波数が２００ＭＨｚであり、ＲＡＭ容量が４８Ｍであり、カメラの解像度が２Ｍ画素であり、モニターが２．８インチの画素３２０＊２４０のタッチスクリーンである。
【００６８】
ステップ４２０において、知能設備において入力法切り替えメニューを起動することによって、カメラ入力法を選択し、本方法を始動させ、処理中のカレント文書に文字を入力することに備え、図８のように、撮影された文字画像をタッチスクリーンのカメラ入力法のウィンドウに表示し、それから引き続き全ての後続ステップを実行する。該文字画像を撮影する（ステップ４３０）。光学文字識別技術で該文書画像を識別し、それを文字文書に転換する（ステップ４４０）。ユーザーが処理中のカレント文書に、文字文書を直接に入力することを選択しない場合（ステップ４５０）、該携帯は、文字文書をタッチスクリーンに表示し、ユーザーに文字文書の文字を修正させる（ステップ４７０）。それからユーザーが修正された文字文書を確認するか否かを判断し（ステップ４８０）、是であれば、確認された文字文書を該携帯の処理中のカレント文書に入力し（ステップ４６０）、否であれば、今回の識別結果を廃棄する。これで今回の文字入力操作を完了する（ステップ４９０）。
【実施例６】
【００６９】
本実施例と実施例１との違いは、本実施例において、ステップＣに記載の撮影装置による文書画像の撮影を経てから、実施例２における入力したい文字を標記するステップをさらに含むことである。
【００７０】
その時、ステップＣにおいて文書画像を撮影する時に、表示手段にプレビューフレームを設置し、この方式で入力したい文字を標記することが可能であり、それから、また実施例２における標記方法を介して選択された文書をさらに修正することが可能である。
【００７１】
または、ステップＣにおいて文書を撮影する時に、表示手段にプレビューフレームを設置せず、実施例２に記述された各種の選定方法によって入力したい文字を選定する。
【００７２】
したがって、ユーザーはプレビューフレームで文字を選定し、及び文字方向を指定することが可能であり、また撮影された画像において、セレクトフレームやその他の方式で文字を選定し、及び文字方向を指定することも可能である。もし両方法を共に使用した場合、撮影された画像において、セレクトフレームで文字を選定し、及び文字方向を指定することに準ずる。
【００７３】
ここでの本発明に関する記述及び応用は説明的なものであり、本発明の範囲は上述の実施例のみに限定されることはない。ここで開示された実施例の変形や変更は可能であり、当業者にとって、実施例の差し替えや同等な各種部材は公知のものである。当業者の理解すべきことは、本発明の構想または本質特徴から逸脱しない場合、その他の形式、構造、布置、比例、及びその他のユニット、材料、部材で本発明を実現することが可能である。本発明の範囲や構想から逸脱しない場合、ここで開示された実施例に対してその他の変形や変更を行ってもよい。
【図１】
2012507063.tif 000003
【図２】
2012507063.tif 000004
【図３】
2012507063.tif 000005
【図４】
2012507063.tif 000006
【図５】
2012507063.tif 000007
【図６】
2012507063.tif 000008
【図１０】
2012507063.tif 000009
【図１１】
2012507063.tif 000010
【図１２】
2012507063.tif 000011
【図７】
2012507063.tif 000012
【図８】
2012507063.tif 000013
【図９】
2012507063.tif 000014
【国際調査報告】
2012507063.tif 000015
2012507063.tif 000016
2012507063.tif 000017
2012507063.tif 000018